(57)【要約】【課題】各条毎における施肥・播種の量にバラツキの発生に備え、各条のロール式繰出装置毎に微量調整装置を設けて微量調整を可能とする。【解決手段】繰出駆動軸３に摺動ロール仕組Ａを固定し、該繰出駆動軸３と、繰出量を調整する多条調整ハンドル仕組Ｃの多条調整ハンドル１とを連設させ、該多条調整ハンドル１により繰出駆動軸３をスライドさせて、多条分の摺動ロール仕組Ａのロール開度を調整可能とし、該多条調整ハンドル１により多条を同時に調節可能とした摺動ロール仕組Ａに、更に、各摺動ロール仕組Ａ毎の繰出量を微調整可能とする微調整機構Ｂを併設した。【選択図】図７
2018117596.tif 000002
【特許請求の範囲】
【請求項１】
繰出駆動軸（３）に摺動ロール仕組（Ａ）を固定し、該繰出駆動軸（３）と、繰出量を調整する多条調整ハンドル仕組（Ｃ）の多条調整ハンドル（１）とを連設させ、該多条調整ハンドル（１）により繰出駆動軸（３）をスライドさせて、多条分の摺動ロール仕組（Ａ）のロール開度を調整可能とし、
前記多条分の摺動ロール仕組（Ａ）に、各摺動ロール仕組（Ａ）毎の繰出量を微調整可能とする微調整機構（Ｂ）を併設した
ことを特徴とするロール式繰出装置の調量機構。
【請求項２】
請求項１に記載のロール式繰出装置の調量機構において、
多条分の摺動ロール仕組（Ａ）を同時に調整可能とする構造において、各個別の種子・肥料繰出装置ユニット（Ｕ）の間隔を調節する場合に、前記繰出駆動軸（３）と摺動ロール仕組（Ａ）の係合・離脱を可能とする係合離脱機構（Ｄ）を設け、
該係合離脱機構（Ｄ）は、軸係合具（４）と係合状態維持具（６）により構成し、該軸係合具（４）を繰出駆動軸（３）に接当させた状態で、該係合状態維持具（６）により軸係合具（４）を係合状態に固定可能とし、
該係合状態維持具（６）は、軸係合具（４）に係合した状態で繰出駆動軸（３）の周囲に回動されて、軸係合具（４）と係合状態維持具（６）との間の枢支ピンを越える支点越え構造とした
ことを特徴とするロール式繰出装置の調量機構。
【請求項３】
請求項２に記載のロール式繰出装置の調量機構において、
前記摺動ロール仕組（Ａ）と多条調整ハンドル仕組（Ｃ）をユニット取付杆（１２）に装着し、
摺動ロール仕組（Ａ）を構成する施肥・播種ロールの六角軸嵌装孔に、前記繰出駆動軸（３）を通し、
該繰出駆動軸（３）の他端を多条調整ハンドル仕組（Ｃ）の繰出駆動軸側遊嵌軸（２８）に固定し、
該繰出駆動軸（３）の端部に固定した繰出駆動軸側遊嵌軸（２８）は、多条調整ハンドル軸（２５）に遊嵌した状態で連結し、
該多条調整ハンドル（１）の回転により多条調整ハンドル軸（２５）を回転し、繰出駆動軸側遊嵌軸（２８）と繰出駆動軸（３）を多条位置調節のために摺動させる
ことを特徴とするロール式繰出装置の調量機構。
【請求項４】
請求項３記載のロール式繰出装置の調量機構において、
前記多条調整ハンドル仕組（Ｃ）の多条調整ハンドル（１）に固定されて回転される多条調整ハンドル軸（２５）には複数の本数の螺子溝（２５ａ）を刻設し、該複数本の螺子溝（２５ａ）の数と、
該多条調整ハンドル（１）の回転した状態を維持するデテント機構（２９）を設けて、多条調整ハンドル（１）の回転位置を複数段に固定可能とし、螺子溝（２５ａ）の数と、回転位置の固定箇所数の乗数の分だけの段階の微調整を可能とした
ことを特徴とするロール式繰出装置の調量機構。
【発明の詳細な説明】
【技術分野】
【０００１】
本発明は、播種機や施肥機等におけるロール式繰出装置の調量機構において、種子や肥料などの粒状物を繰り出すために使用するロール式繰出装置の、全条または多条のロール間隙位置調節機構に関する。
【背景技術】
【０００２】
従来、播種機や施肥機の繰出部をロール式繰出装置により構成し、該ロール式繰出装置の繰出量の調量機構を繰出装置の摺動側のロールを固定側のロールに対して摺動することにより調整する技術は公知とされている。
また、多条位置調節機構において、全条または多条の施肥・播種ロールの部分を、調整ハンドルにより一度に調整可能とする技術も、下記の特許文献１のような技術が公知とされている。
【先行技術文献】
【特許文献】
【０００３】
【特許文献１】特開２０１６−１５８５４８号公報
【発明の概要】
【発明が解決しようとする課題】
【０００４】
本発明は、全条や多条を一度に調量調整する多条調整ハンドルによる操作では、各条毎において、施肥・播種の量にバラツキが発生する場合があるので、多条位置調節機構の他に、各条のロール式繰出装置毎に、微量調整装置を設けたものである。
【０００５】
また、該多条位置調節機構において、繰出駆動軸３と摺動ロール仕組Ａとの係合と離脱を行う機構において、該特許文献１に開示の技術においては、螺子締め機構を用いていたので、螺子を緩めたり、締めたりする際に操作がしづらく、また、作業中に螺子締め機構が緩んだりするという不具合があったので、この操作を簡単にできるようにしたものである。
【０００６】
また、多条位置調節機構の多条調整ハンドル１の部分においても、微量単位での調整ができるように、多条調整ハンドル１の操作機構において、多条調整ハンドル１の回転角度と繰出し量との関係を微量調節が可能に構成したものである。
【課題を解決するための手段】
【０００７】
本発明の解決しようとする課題は以上の如くであり、次にこの課題を解決するための手段を説明する。
【０００８】
請求項１においては、繰出駆動軸３に摺動ロール仕組Ａを固定し、該繰出駆動軸３と、繰出量を調整する多条調整ハンドル仕組Ｃの多条調整ハンドル１とを連設させ、該多条調整ハンドル１により繰出駆動軸３をスライドさせて、多条分の摺動ロール仕組Ａのロール開度を調整可能とし、該多条調整ハンドル１により多条を同時に調節可能とした摺動ロール仕組Ａに、更に、各摺動ロール仕組Ａ毎の繰出量を微調整可能とする微調整機構Ｂを併設したものである。
【０００９】
請求項２においては、請求項１に記載のロール式繰出装置の調量機構において、多条の摺動ロール仕組Ａを同時に調整可能とする構造において、各個別の種子・肥料繰出装置ユニットＵの間隔を調節する場合に、前記繰出駆動軸３と摺動ロール仕組Ａの係合・離脱を可能とするための係合離脱機構Ｄを設け、該係合離脱機構は、軸係合具４と係合状態維持具６により構成し、該軸係合具４を繰出駆動軸３に接当させた状態で、該係合状態維持具６により軸係合具４を係合状態に固定可能とし、該係合状態維持具６は、軸係合具４に係合した状態で繰出駆動軸３の周囲に回動されて、軸係合具４と係合状態維持具６との間の枢支ピンを越える支点越え構造としたものである。
【００１０】
請求項３においては、請求項２に記載のロール式繰出装置の調量機構において、前記摺動ロール仕組Ａと、多条調整ハンドル仕組Ｃをユニット取付杆１２に装着し、摺動ロール仕組Ａを構成する施肥・播種ロールの六角軸嵌装孔に、前記繰出駆動軸３を通し、該繰出駆動軸３の他端を多条調整ハンドル仕組Ｃの繰出駆動軸側遊嵌軸２８に固定し、該繰出駆動軸３の端部に固定した繰出駆動軸側遊嵌軸２８は、多条調整ハンドル軸２５に遊嵌した状態で連結し、該多条調整ハンドル１の回転により多条調整ハンドル軸２５を回転し、繰出駆動軸側遊嵌軸２８と繰出駆動軸３を多条位置調節のために摺動させるものである。
【００１１】
請求項４においては、請求項３記載のロール式繰出装置の調量機構において、前記多条調整ハンドル仕組Ｃの多条調整ハンドル１に固定されて回転される多条調整ハンドル軸２５には複数の本数の螺子溝２５ａを刻設し、該複数本の螺子溝２５ａの数と、該多条調整ハンドル１の回転した状態を維持するデテント機構２９を設けて、多条調整ハンドル１の回転位置を複数段に固定可能とし、螺子溝２５ａの数と、回転位置の固定箇所数の乗数の分だけの段階の微調整を可能としたものである。
【発明の効果】
【００１２】
請求項１の如く構成したので、全条や多条を一度に調量する多条調整ハンドルによる操作では、各条毎において、施肥・播種の量にバラツキが発生する場合があるので、多条位置調節機構の他に、各条のロール式繰出装置毎に、微量調整装置を設けて、最終的な隣接する種子・肥料繰出装置ユニットＵ間の微量調整を可能としたものである。
【００１３】
請求項２の如く構成したので、該多条位置調節機構において、繰出駆動軸３と摺動ロール仕組Ａとの係合と離脱を行う機構において、該特許文献１に開示の技術においては、螺子締め機構を用いていたので、螺子を緩めたり、締めたりする際に操作がしづらく、また、作業中に螺子締め機構が緩んだりするという不具合があったのである。
これに対して、本発明のように、軸係合具４と係合状態維持具６と支点越えバネ１６と押圧樹脂体１７等により係合離脱機構Ｄを構成することにより、この操作を簡単にできるようになったものである。
【００１４】
請求項３の如く、多条調整ハンドル軸２５と繰出駆動軸側遊嵌軸２８と繰出駆動軸３との関係を構成したので、多条位置調節機構の全条調整ハンドル１の部分においても、微量単位での調整ができるようになったのである。これにより、多条調整ハンドル１の操作機構においても、ハンドルの回転と量との関係により微量調節が可能になったものである。
【００１５】
請求項４の如く構成したので、多条調整ハンドル１の３６０度回転する場合において、途中の回転角度においてデテント機構２９により止めて、多条調整ハンドル１による摺動ロール仕組Ａの調整量を多数段階に微調整可能とすることできたのである。
【図面の簡単な説明】
【００１６】
【図１】多条位置調節機構を具備する種子・肥料繰出装置ユニットの側面図。
【図２】種子・肥料繰出装置ユニットを１４条分連設した多条式施肥播種装置の後面図。
【図３】多条位置調節機構を示す平面図。
【図４】ロール式繰出装置の調量機構の摺動ロール仕組と微調整機構の部分を示す平面図。
【図５】１条分のロール式施肥播種ユニットにおいて、多条位置調節機構を構成する摺動ロール仕組と、併設した微調整機構の部分を示す拡大平面図。
【図６】１条分の多条位置調節機構を示す摺動ロール仕組の平面図。
【図７】１条分の多条位置調節機構の微調整機構の機構を示す平面図。
【図８】ロール式繰出装置の調量機構において、摺動ロール仕組と繰出駆動軸とを係合離脱する係合離脱機構の部分を構成する軸係合具と係合状態維持具と微調整側ロール１と微調整摘みの構造を示す平面図。
【図９】繰出駆動軸に対して、摺動ロール仕組を固定するため軸係合具と係合状態維持具と、固定側ロールと多条調節摺動側ロールと微調整側ロールと微調整摘みの部分の側面図。
【図１０】多条調整ハンドル仕組の部分の平面図。
【図１１】多条調整ハンドル仕組の部分の側面図。
【図１２】繰出駆動軸と摺動ロール仕組とを係合離脱する係合離脱体支持部の外側側面図（ａ）と後面図（ｂ）と内側側面図（ｃ）と中央断面図（ｄ）。
【図１３】固定側ロールの外側側面図（ａ）と後面図（ｂ）と内側側面図（ｃ）。
【図１４】多条調節摺動側ロールの外側側面図と後面図と内側側面図と断面図。
【図１５】微調整側ロールの後面図（ａ）と内側側面図（ｂ）。
【図１６】固定側ロールを支持する固定側ロールケース側面面（ａ）と側面図（ｂ）。
【図１７】繰出駆動軸に外嵌する微調整螺子軸の後面図（ａ）と側面図（ｂ）。
【図１８】係合離脱機構を構成する係合状態維持具の側面図（ａ）と後面図（ｂ）。
【図１９】係合離脱機構Ｄを構成する軸係合具の側面図（ａ）と後面図（ｂ）。
【図２０】係合離脱機構を構成する支点越えバネの側面図（ａ）と後面図（ｂ）。
【図２１】係合離脱機構を構成する押圧樹脂体の後面図（ａ）と側面図（ｂ）と斜視図（ｃ）。
【図２２】自由回転支持軸の外側側面図（ａ）と後面図（ｂ）と内側側面図（ｃ）。
【図２３】多条調整ハンドルの側面図（ａ）と後面図（ｂ）。
【図２４】調整位置指標体の側面図（ａ）と後面図（ｂ）。
【図２５】多条調整ハンドル軸の側面図（ａ）と後面図（ｂ）。
【図２６】多条調整ハンドルの調節位置デテントリング２３の側面図と後面図。
【図２７】繰出駆動軸とハンドル軸とを連結する連結筒体の平面図（ａ）と側面図（ｂ）。
【図２８】多条位置調節機構の調整量マークの平面図。
【発明を実施するための形態】
【００１７】
以下では、図１と図２と図３と図４において、多条位置調節機構を具備した施肥・播種機について説明する。
種子・肥料繰出装置ユニットＵは、施肥ユニットと播種ユニットが、前後に一体化されており、施肥作業と同時に播種作業を行うことができるように構成されている。
上方の前部に肥料ホッパー１４を配置し、上方の後部に種子ホッパー１３を配置し、両者は一体的に、又は分割状態にすることができるように、肥料ホッパー１４と種子ホッパー１３の側面に設けたワンタッチ係止具２１により構成した係止金具が設けられている。
【００１８】
一般的に播種される種子の量よりも、施肥される肥料の量の方が多いので、肥料ホッパー１４の方が、種子ホッパー１３よりも大容量に構成されている。
該肥料ホッパー１４の下部に、施肥ロールケース１９内に配置構成された肥料繰出装置７が配設されて、種子ホッパー１３の下方に、播種ロールケース２０内に配置構成された種子繰出装置５が配設されている。
【００１９】
該肥料繰出装置７と種子繰出装置５の下部には、肥料繰出装置７と種子繰出装置５から繰り出される落下されてくる肥料と種子が、雨水等により濡れないように、防水カバ３４が設けられている。
また、該防水カバ３４は、肥料繰出装置７と種子繰出装置５に対して、上下に回動するメインフレーム１０と間の間隙から、肥料や種子が飛び出すことの無いようにする役目も具備している。
【００２０】
種子・肥料繰出装置ユニットＵは、位置固定部材３６に肥料繰出装置７と種子繰出装置５とを固定しており、該位置固定部材３６はトラクタなどの作業車両に設けられたユニット取付杆１２に脱着可能に構成されている。
多条の種子・肥料繰出装置ユニットＵを、ユニット取付杆１２に対して、位置固定部材３６により固定しており、該多条の種子・肥料繰出装置ユニットＵの間隔を調整する場合には、ユニット取付杆１２から位置固定部材３６の係合状態を開放して、単位毎の種子・肥料繰出装置ユニットＵをユニット取付杆１２の上で摺動して、間隔を調整可能としている。
【００２１】
該種子・肥料繰出装置ユニットＵの間隔を調整する場合には、本発明の多条位置調節機構の繰出駆動軸３から、摺動ロール仕組Ａを開放してやる必要があり、軸係合具４と係合状態維持具６による多条位置調節機構の調整・非調整時の係合離脱機構Ｄが構成されているのである。                                                                  
【００２２】
本発明において、摺動ロール仕組Ａは、図６と図７と図８において図示されている。
即ち、繰出ロールフレーム４２と固定側ロールケース２２により、位置固定部材３６側に固定されている固定側ロール８に対して、摺動ロール仕組Ａは摺動する部分である。
即ち、繰出駆動軸３の上で、固定された固定側ロール８に対して摺動する、係合離脱体支持部１５と係合状態維持具６と軸係合具４の係合離脱機構Ｄの部分、及び多条調節摺動側ロール９と微調整側ロール１１と微調整摘み１１ａと微調整螺子軸１８等により構成されている。
【００２３】
上記の摺動ロール仕組Ａの構成部分の中で、微調整側ロール１１の上を更に微調整のために摺動する微調整側ロール１１と微調整摘み１１ａが微調整機構Ｂを構成しているのである。
前記ユニット取付杆１２の上で、単位毎の種子・肥料繰出装置ユニットＵを左右に摺動する場合には、係合離脱機構Ｄを開放した状態とする。
また、多条調整ハンドル１の操作により、多条位置調節機構を使って、多条または全条を一斉に繰出量の調整を行う場合には、全ての種子・肥料繰出装置ユニットＵに係合離脱機構Ｄを係合状態とするのである。
【００２４】
位置固定部材３６の下部に平行リンク３５を配置して、該平行リンク３５によりメインフレーム１０を上下に平行移動を可能に支持している。
該メインフレーム１０の下方には、最前部に作溝ディスク３３を配置し、播種と施肥のための溝を作溝し、該作溝ディスク３３の後部に覆土ディスク３２を配置して、該作溝ディスク３３が作った溝内に投入された肥料と種子の上に覆土ディスク３２により覆土すべく構成している。
【００２５】
更に覆土ディスク３２の後部には、覆土した種子繰出装置５の圃場の土を鎮圧する鎮圧ローラ３１が支持されている。該鎮圧ローラ３１の外周にはスクレーパ３７が設けられている。
図２においては、種子・肥料繰出装置ユニットＵを１４組並列した多条位置調節機構が開示されている。このように１４条の種子・肥料繰出装置ユニットＵを配置した場合には、全ての１４条を１組の多条調整ハンドル仕組Ｃにより、全条を調節可能とすることもできるが、図２においては、左右の７条ずつに分けて、右側の７条の多条調整ハンドル仕組Ｃと、左側の７条の多条調整ハンドル仕組Ｃとを設けた構成としている。
【００２６】
次に、図３と図４において、本発明の多条位置調節機構の多条調整ハンドル仕組Ｃと種子・肥料繰出装置ユニットＵの取付位置について説明する。
トラクタ等の作業車両の後部に、作業機昇降装置を介して、ユニット取付杆１２が付設されている。該ユニット取付杆１２に、本発明の種子・肥料繰出装置ユニットＵと多条調整ハンドル仕組Ｃが取付けられるのである。
前記図２においては゛７条づつを右側と左側に分けて、多条位置調節機構として取り付けた実施例を図示していたが、その構成において、左側の７条の多条位置調節機構の３条分について、図３と図４において図示されている。
【００２７】
図３においては、種子・肥料繰出装置ユニットＵにおいて、位置固定部材３６の部分をもセットした状態における平面図を図示している。
図４においては、該種子・肥料繰出装置ユニットＵの中で、位置固定部材３６の部分を取り外して、摺動ロール仕組Ａの部分を露出した状態の多条位置調節機構について図示している。
【００２８】
図３において左側の端部において図示した円弧付きの矢印においては、繰出駆動軸３のうち、施肥繰出駆動軸３の回転方向と、播種繰出駆動軸３の回転方向が逆方向となっていることを図示している。
該繰出駆動軸３は一方が、モータにより、または接地輪からの接地回転駆動力により強制的に回転される。そして、播種と施肥の他方の繰出駆動軸３は、一方の強制回転力を固定側ロール８の外周に設けた噛合歯車８ａにより従動回転が伝達されるように構成されている。
【００２９】
図３と図４と図１０と図１１において図示する如く、ユニット取付杆１２に対して、多条調整ハンドル仕組Ｃが左右に摺動固定可能に構成されている。
該多条調整ハンドル仕組Ｃも、ユニット取付杆１２に対しては、位置固定部材３６により係止離脱可能に構成されており、該位置固定部材３６に多条調整ハンドルフレーム３７が延設されている。
【００３０】
該多条調整ハンドルフレーム３７には、調整雌螺子３８が固定支持されており、該調整雌螺子３８の内径の螺子部に、多条調整ハンドル１と連結された多条調整ハンドル軸２５の外周に螺設された雄螺子部分が螺合されている。
該多条調整ハンドル１により多条調整ハンドル軸２５を回転することにより、多条調整ハンドル軸２５の部分が、調整雌螺子３８と多条調整ハンドルフレーム３７に対して、左右に微調整の間隔で移動が可能となっているのである。
【００３１】
該多条調整ハンドル１により回転する多条調整ハンドル軸２５の外周には、雄螺子が刻設されていると共に、調節位置デテントリング２３が係合されており、共に回転する。該多条調整ハンドル軸２５に対して外周に微調整デテント３９のデテント突起が接当して、多条調整ハンドル１の回転位置を決める。デテント凹部２３ａが２０箇所刻設された調節位置デテントリング２３が係止されて、共に回転する。
該微調整デテント３９と調節位置デテントリング２３とのバネ付勢力により係止状態となり、多条調整ハンドル１は１８度毎に係止位置が決められる。
【００３２】
また、多条調整ハンドルフレーム３７に固定された調整雌螺子３８の雌螺子と、多条調整ハンドル軸２５の雄螺子の螺子溝２５ａは、微細に刻設されており、多条調整ハンドル１の回転数は、所定の調節幅に対して、ピッチ２ｍｍの１５本の螺子溝２５ａが所定の調節幅に該当するように構成されている。
よって、調節位置デテントリング２３の２０個の係止凹部と、１５本の螺子溝２５ａによりトータル的に、多条調整ハンドル１の停止位置は３００箇所が設けられており、１／３００の単位で調節位置が決められるように構成されている。
【００３３】
該調節位置デテントリング２３は、図２６の（ａ）と（ｂ）において、その形状が図示されている。
該調節位置デテントリング２３には、微調整デテント３９の先端の突起が、嵌入されて、多条調整ハンドル１の位置が固定されるデテント凹部２３ａが、外周に２０箇所に設けられており、該微調整デテント３９がこのデテント凹部２３ａに嵌入することにより、多条調整ハンドル１の位置決めが行われる。
【００３４】
また、調整雌螺子３８と多条調整ハンドル軸２５の外周の微調整螺子は、調整幅が０〜３０ｍｍの間に、２ｍｍのピッチの螺子溝２５ａが１５本刻設されている。前記多条調整ハンドル１の１回転で２ｍｍだけ移動可能としている。
よって、調節位置デテントリング２３のデテント凹部２３ａの数が２０箇所であることと、多条調整ハンドル軸２５の調整螺子の数が、３０ｍｍで１５本だけ刻設されているということで、３０ｍｍの調整幅を、３００箇所に分けて固定停止可能としている。
多条位置調節機構の位置の調整が、３０ｍｍの間に３００目盛りの微調整が可能となっている。
【００３５】
該３００箇所の調整箇所の目安を得るために、施肥用の調整雌螺子３８と、播種用の調整雌螺子３８との間の、多条調整ハンドルフレーム３７に、図２８に図示する調整量マーク２６が配置されている。該調整量マーク２６においては、３０ｍｍの間において、ミリ単位の目盛りが刻設されている。
また，多条調整ハンドル軸２５における多条調整ハンドル１を固定している側と反対側の、調整量マーク２６が固定されている側に、図２４の（ａ）と（ｂ）において図示する調整位置指標体２７が嵌装されている。
該多条調整ハンドル軸２５の調整のための移動により、該調整位置指標体２７が調整量マーク２６の横で移動して、施肥の多条位置調節位置と、播種の多条位置調節位置の目安を確認することができるように構成されている。
【００３６】
多条調整ハンドル１の形状は図２３の（ａ）と（ｂ）において図示されており、前記多条調整ハンドル軸２５の外側の端部に２カ所のボルト孔にボルトを螺装して固定されている。
前記した施肥用の繰出駆動軸３と、播種用の繰出駆動軸３は連動して、駆動モータ又は接地駆動輪からの回転駆動力により、逆回転方向に強制駆動されており、この強制駆動回転は、多条調整ハンドル１に伝達することはできないので、繰出駆動軸３と多条調整ハンドル軸２５との間に、左右への条間調整のための摺動移動は可能であるが、繰出駆動軸３の繰出のための強制回転と、多条調整ハンドル１の条間調整のための回転とが自由にできるように構成されている。
即ち、繰出駆動軸３と多条調整ハンドル軸２５との間の遊転可能機構が、図２２の（ａ）と（ｂ）と（ｃ）とに図示された繰出駆動軸側遊嵌軸２８と、多条調整ハンドル軸２５との間で構成されている。
【００３７】
図１０において図示する如く、多条調整ハンドル軸２５の内径部分に嵌装された繰出駆動軸側遊嵌軸２８のための内周軸受４０により、繰出駆動軸側遊嵌軸２８は多条調整ハンドル軸２５に対して自由に回転可能に構成されている。  
また、多条調整ハンドル軸２５は、多条調整ハンドルフレーム３７に支持された外周軸受４１により、多条調整ハンドルフレーム３７に遊嵌可能に支持されており、該多条調整ハンドル１と繰出駆動軸３とは、相互に自由に回転が可能であるが、多条調整ハンドル１の条間調節に伴う回転により、多条調整ハンドル軸２５と繰出駆動軸３は、左右に同じ調整幅だけ移動可能としている。
【００３８】
該繰出駆動軸側遊嵌軸２８は、多条調整ハンドル軸２５の内側に穿設された内周軸受４０の支持孔を介して、遊嵌可能に支持されており、該多条調整ハンドル軸２５が内側に突出された部分の外径部分に、図２７の（ａ）と（ｂ）に図示した連結筒体２４により、繰出駆動軸３の外側端部が外嵌されて連結固定されている。
連結筒体２４には、３個のボルト孔が穿設されており、外側のボルト孔は、内径部分に挿入された繰出駆動軸側遊嵌軸２８の内側の端部にボルト固定されるための孔である。
内側の他の２つの孔は内径部分に挿入された繰出駆動軸３の外側の端部を，連結筒体２４に連結固定するためのボルト孔である。
【００３９】
次に図６と図７と図８と図９を主体として、摺動ロール仕組Ａと微調整機構Ｂの構成について説明する。
図３と図４において図示している如く、ユニット取付杆１２に対して固定する、位置固定部材３６の後部に、肥料繰出装置７と種子繰出装置５をその内側に組立て構成する繰出ロールフレーム４２が延設されている。
該繰出ロールフレーム４２は、平面視で長方形の枠型のフレームであり、内部に肥料繰出装置７が施肥用の繰出駆動軸３により、種子繰出装置５が播種用の繰出駆動軸３により、前記した係合離脱機構Ｄにより係合固定可能に支持されている。
【００４０】
肥料繰出装置７と種子繰出装置５とは、回転方向が逆であるが、構成としては対称的に構成されているので、両者を纏めて説明する。
中心を通過する六角軸により構成された繰出駆動軸３に、多条調節摺動側ロール９が、遊嵌されている。
該多条調節摺動側ロール９と後述する固定側ロール８と、微調整側ロール１１と、微調整摘み１１ａは全て、樹脂製により構成されている。
【００４１】
該多条調節摺動側ロール９は内径に挿入した微調整螺子軸１８により、繰出駆動軸３に対して遊嵌されており、通常は、繰出駆動軸３の回転に対して、多条調節摺動側ロール９は自由に回転可能であり、更に種子・肥料繰出装置ユニットＵのユニット取付杆１２に対する条間調節のために、左右への摺動も可能構成されている。
しかし、多条位置調節機構により、施肥量と播種量を全ての条、または多条を同時に調整する場合には、係合離脱機構Ｄにより、繰出駆動軸３と多条調節摺動側ロール９とを一体的に固定して、繰出駆動軸３の左右への条間調整のための摺動に合わせて、多条調節摺動側ロール９が左右に摺動可能に構成されている。
【００４２】
該多条調節摺動側ロール９が、多条調整ハンドル仕組Ｃにより、左右に移動される場合にも、繰出ロールフレーム４２の外側の固定側ロールケース２２により支持されている固定側ロール８は、左右への摺動をせずに、多条調節摺動側ロール９に対する相対位置が変更されるように構成されている。
該固定側ロール８の内側の粒体嵌入突部８ｂが、多条調節摺動側ロール９の外周の粒体嵌入凹部９ａが嵌入して、嵌入溝の左右幅を変更可能として嵌入量を多量から少量へと調整可能としている。
【００４３】
該固定側ロール８の外周には、肥料繰出装置７と種子繰出装置５の相互を逆回転方向に駆動可能とする逆回転駆動ギヤ８ａが突設されており、前後に併設された、肥料繰出装置７のための逆回転駆動ギヤ８ａと、種子繰出装置５のための逆回転駆動ギヤ８ａが相互に噛合して、互いの固定側ロール８を駆動可能としている。
【００４４】
固定側ロール８は、固定側ロールケース２２の内部において、回転可能に支持されているが、位置固定部材３６に対して左右に移動は不可能に支持されている。
これに対して、多条調節摺動側ロール９は、（該位置固定部材３６に対して移動不可能な）固定側ロール８に対して、多条位置調節機構により、左右に摺動可能に構成されており、本発明の多条位置調節機構を構成可能としている。
【００４５】
該多条調節摺動側ロール９の構造は、図１４の（ａ）と（ｂ）と（ｃ）において、図示されており、図５において図示する如く、多条調節摺動側ロール９が繰出ロールフレーム４２から外側に摺動して突出した部分に、本発明の要部を構成する係合離脱機構Ｄの係合離脱体支持部１５がボルトにより固定されている。
【００４６】
該係合離脱体支持部１５は、図１２の（ａ）と（ｂ）と（ｃ）と（ｄ）において図示されており、左右のガイド板１５ａと１５ｂの間に、軸受体１５ｄが一体的に構成されている。該軸受体１６ｄの内部を、６角形軸により構成された繰出駆動軸３が左右に摺動移動可能であるが、回転駆動力は、繰出駆動軸３から係合離脱体支持部１５を介して多条調節摺動側ロール９に伝達可能に係合して遊嵌されている。
前記左右のガイド板１５ａと１５ｂの更に内側にロール側固定板１５ｃを直角方向に固設しており、該ロール側固定板１５ｃにボルト孔１５ｅが穿設されており、該ボルト孔１５ｅに挿入したボルトにより、多条調節摺動側ロール９の外側面に係合離脱体支持部１５が固定されている。
【００４７】
該係合離脱体支持部１５の左右のガイド板１５ａと１５ｂの間に、軸係合具４の枢支軸１５ｆと、係合状態維持具６の枢支軸１５ｇが架設されている。
該係合状態維持具６の形状は、図１８の（ａ）と（ｂ）において図示されている。
該係合状態維持具６は「く」の字形の係止具であり、図１９の（ａ）と（ｂ）において図示する、支点越えバネ１６が軸係合具４との係合操作を可能に枢支されている。
【００４８】
軸係合具４は図１９の（ａ）と（ｂ）に図示されている。該軸係合具４は、図１９の（ｃ）において、係合離脱体支持部１５の枢支軸１５ｆにより、係合離脱体支持部１５の左右のガイド板１５ａと１５ｂの間に枢支されており、繰出駆動軸３の周囲に回動可能としている。また、先端に係止フック４ａが構成されており、該係止フック４ａの部分に前記図２０の（ａ）と（ｂ）において図示した支点越えバネ１６の一端が係止可能に構成されている。
【００４９】
該係合状態維持具６は、係合離脱体支持部１５に設けた係合状態維持具６の枢支軸１５ｇにより枢支されており、該枢支軸１５ｇを支点として支点越えを可能とする位置に、前記支点越えバネ１６の他端が枢支されている。
この構成により、図９の（ａ）と（ｂ）と（ｃ）に図示したように、軸係合具４の先端の押圧樹脂体１７の部分が、六角形の繰出駆動軸３の外周に押圧されて、繰出駆動軸３と係合離脱体支持部１５が一体となった状態を、支点越えバネ１６と係合状態維持具６により、弾性付勢状態で維持すべく構成されている。
これにより、繰出駆動軸３と係合離脱体支持部１５と多条調節摺動側ロール９は一体的に回転し、かつ左右に摺動すべく構成されている。
該係合離脱機構Ｄにより押圧樹脂体１７の部分の押圧状態が解除されている場合には、繰出駆動軸３に対して、多条調節摺動側ロール９と摺動ロール仕組Ａの部分が左右に摺動することが可能であり、多条調整ハンドル１により調整しても、開放された部分の種子・肥料繰出装置ユニットＵの摺動ロール仕組Ａは左右に繰出量の調整のための摺動をしないのである。
【００５０】
押圧樹脂体１７は、図２１の（ａ）と（ｂ）と（ｃ）において図示する如く、弾性体により構成されたキャップ状に構成されており、該軸係合具４が、繰出駆動軸３を押圧し係止した状態を確実に維持できるように弾性付勢している。
多条位置調節機構により、各種子・肥料繰出装置ユニットＵの条間を左右に摺動して調整する場合には、係合離脱機構Ｄを構成する係合状態維持具６を解除して、押圧樹脂体１７と軸係合具４とによる、係合離脱体支持部１５と繰出駆動軸３との係止状態を解除するのである。
【００５１】
条間調節を終わった後は、再度軸係合具４の押圧樹脂体１７を繰出駆動軸３に押圧した状態を支点越えバネ１６と係合状態維持具６により係止して、係合状態維持具６が枢支軸１５ｇを越えた状態で、簡単には係合状態維持具６が外れないように構成しているのである。
【００５２】
該係合離脱体支持部１５に構成した係合離脱機構Ｄにより、繰出駆動軸３と多条調節摺動側ロール９とを一体的にした状態で、多条調整ハンドル仕組Ｃの多条調整ハンドル１を回転して、繰出駆動軸３を左右に全条または多条を一括して移動させると、固定側ロール８の粒体嵌入突部８ｂに沿って多条調節摺動側ロール９の粒体嵌入凹部９ａが嵌入した状態で左右に摺動して、粒体嵌入突部８ｂと粒体嵌入凹部９ａにより構成された粒状物の嵌入部の体積を左右の幅の変更により調整して、肥料または種子の量の調整が行われるのである。
【００５３】
しかし、この多条調整ハンドル仕組Ｃによる、一括的な量の調整を行った場合においても、多条の種子・肥料繰出装置ユニットＵの各条の繰出量が一定値または、オペレータの所望する所定値とならない場合が発生するのである。
このような場合において、多条調整ハンドル仕組Ｃにより一括調整後の、各条毎の微調整を可能とする微調整機構Ｂが、該摺動ロール仕組Ａの部分に設けられているのである。
【００５４】
該微調整機構Ｂは、図１７の（ａ）と（ｂ）において図示されている微調整螺子軸１８が、前記繰出駆動軸３の外周に嵌装されており、該微調整螺子軸１８の外周に微調整機構Ｂを構成する微調整側ロール１１が螺子移動により摺動自在に嵌装されているのである。
即ち、多条調節摺動側ロール９の粒体嵌入凹部９ａには、前述の固定側ロール８の粒体嵌入突部８ｂ以外に、微調整機構Ｂの微調整側ロール１１の粒体嵌入突部１１ｂも左右の内側である、固定側ロール８の粒体嵌入突部８ｂとは逆の側から嵌入されているのである。
【００５５】
即ち、固定側ロール８の粒体嵌入突部８ｂに対して、多条調整ハンドル仕組Ｃの調整により、多条調節摺動側ロール９を摺動して、嵌入溝の左右幅を調整する以外に、微調整機構Ｂにより、多条調節摺動側ロール９と微調整側ロール１１との間を左右に調整して、多条調節摺動側ロール９と微調整側ロール１１との間で、固定側ロール８とは逆の側の粒嵌入溝の幅を左右に微調整可能としているのである。
【００５６】
該微調整側ロール１１は、図１５にの（ａ）と（ｂ）に図示しているように構成されており、微調整側ロール１１の内側端部に微調整摘み１１ａが遊嵌されている。該微調整側ロール１１と微調整摘み１１ａは、どちらも樹脂により構成されており、微調整側ロール１１と微調整摘み１１ａの間は両者が自由に回転できるように樹脂製の部材同士が遊嵌されて、かつ一体的に支持された構成としている。
【００５７】
該微調整摘み１１ａは微調整螺子軸１８に設けた調整螺子部１８ａに螺装されており、該微調整摘み１１ａを回転すると、該調整螺子部１８ａの上で螺子回転し、螺子代の分だけ左右に微調整摘み１１ａと微調整側ロール１１の両者を移動させることができるように構成されている。
該微調整側ロール１１の微調整摘み１１ａにより左右の微調整のための摺動は、摺動ロール仕組Ａの多条調節摺動側ロール９や係合離脱体支持部１５の状態に係わらず、多条調節摺動側ロール９に対して、微調整側ロール１１を移動させることで、オペレータが追加的に各種子・肥料繰出装置ユニットＵ毎に微調整機構Ｂを使用して、調整することができるように構成されているのである。
【００５８】
この多条調整ハンドル仕組Ｃの多条調整ハンドル１による全条または多条の一括調節以外に、各種子・肥料繰出装置ユニットＵに配置されて微調整側ロール１１の微調整摘み１１ａを回転することによる微調整にて、ロール式繰出装置の調量機構の全条または多条の全てに渡り、繰出量を所望の量に微調整することができるのである。
【符号の説明】
【００５９】
Ａ      摺動ロール仕組
Ｂ      微調整機構
Ｃ      多条調整ハンドル仕組
Ｄ      係合離脱機構
Ｕ      種子・肥料繰出装置ユニット
３      繰出駆動軸
４      軸係合具
５      種子繰出装置
６      係合状態維持具
７      肥料繰出装置
８      固定側ロール
９      多条調節摺動側ロール
１０    メインフレーム
１１    微調整側ロール
１１ａ  微調整摘み
１１ｂ  粒体嵌入突部
１２    ユニット取付杆
１３    種子ホッパー
１４    肥料ホッパー
１５    係合離脱体支持部
１５ａ・１５ｂ  左右のガイド板
１５ｃ  ロール側固定板
１５ｄ  軸受体
１５ｆ・１５ｇ  枢支軸
１６    支点越えバネ
１７    押圧樹脂体
１８    微調整螺子軸
１９    施肥ロールケース
２０    播種ロールケース
２１    ワンタッチ係止具
２２    固定側ロールケース
２３    調節位置デテントリング
２４    連結筒体
２５    ハンドル軸
２６    調整量マーク
２７    調整位置指標体
２８    繰出駆動軸側遊嵌軸
２９    デテント機構
３０    自由回転支持軸
３１    鎮圧ローラ
３２    覆土ディスク
３３    作溝ディスク
３４    防水カバ
３５    平行リンク
３６    位置固定部材
３７    多条調整ハンドルフレーム
３８    調整雌螺子
３９    微調整デテント
４０    内周軸受
４１    外周軸受
４２    繰出ロールフレーム
４３    微調整機構フレーム
【図１】
2018117596.tif 000003
【図２】
2018117596.tif 000004
【図３】
2018117596.tif 000005
【図４】
2018117596.tif 000006
【図５】
2018117596.tif 000007
【図６】
2018117596.tif 000008
【図７】
2018117596.tif 000009
【図８】
2018117596.tif 000010
【図９】
2018117596.tif 000011
【図１０】
2018117596.tif 000012
【図１１】
2018117596.tif 000013
【図１２】
2018117596.tif 000014
【図１３】
2018117596.tif 000015
【図１４】
2018117596.tif 000016
【図１５】
2018117596.tif 000017
【図１６】
2018117596.tif 000018
【図１７】
2018117596.tif 000019
【図１８】
2018117596.tif 000020
【図１９】
2018117596.tif 000021
【図２０】
2018117596.tif 000022
【図２１】
2018117596.tif 000023
【図２２】
2018117596.tif 000024
【図２３】
2018117596.tif 000025
【図２４】
2018117596.tif 000026
【図２５】
2018117596.tif 000027
【図２６】
2018117596.tif 000028
【図２７】
2018117596.tif 000029
【図２８】
2018117596.tif 000030